【事件の表示】
　特願２００１−３７９１７７「流量測定装置」拒絶査定不服審判事件〔平成１５年　６月２７日出願公開、特開２００３−１７７０４６〕について、次のとおり審決する。
【結　論】
　本件審判の請求は、成り立たない。
【理　由】
第１　手続の経緯
　本願は、平成１３年１２月１２日の出願であって、平成１８年１月１９日付（発送日：平成１８年１月３１日）で拒絶査定がされ、これに対し、平成１８年３月１日に拒絶査定不服審判が請求されるとともに、平成１８年３月２８日付で明細書又は図面についての手続補正（以下、「本件補正」という）がなされたものである。
　
第２　本件補正についての補正却下の決定
　［補正却下の決定の結論］
　　本件補正を却下する。
　［理由］
１．本件補正の内容
　本件補正は、特許請求の範囲の請求項１を補正前の
「被測定空気を導入して流通させる流路と、該流路内に配設され被測定空気の流量測定を行うセンシング部と、を備えた流量測定装置において、該流路内の該センシング部の上流側に湾曲部が形成され、該湾曲部の下流側の外側壁部に異物通過口が、該流路の該センシング部の下流側に連通して設けられ、該異物通過口には異物を異物通過口にガイドするためのガイド壁が設けられたことを特徴とする流量測定装置。」
から、補正後の
「被測定空気を導入して流通させるバイパス流路と、該バイパス流路内に配設され被測定空気の流量測定を行うセンシング部と、を備えた流量測定装置において、該バイパス流路内の該センシング部の上流側にバイパス流路内に導入された被測定空気を前記センシング部に向けて導く湾曲部が形成され、該湾曲部の下流側の外側壁部に異物通過口が、該バイパス流路の該センシング部の上流側から下流側に前記センシング部をバイパスするように連通して設けられ、該異物通過口にはバイパス通路内に導入された被測定空気中の異物を異物通過口にガイドするためのガイド壁が設けられ、前記バイパス通路内に導入された被測定空気の一部は前記ガイド壁によりガイドされて前記異物通過口に導かれ前記センシング部をバイパスすることを特徴とする流量測定装置。」に補正する事項を含むものである。
　
２．本件補正についての判断
　上記請求項１の本件補正は、請求項１に記載した発明を特定するために必要な事項である「流路」を「バイパス流路」と限定し、「湾曲部」を「バイパス流路内に導入された被測定空気を前記センシング部に向けて導く湾曲部」と限定し、「下流側に連通して」を「上流側から下流側に前記センシング部をバイパスするように連通して」と限定し、「異物」を「バイパス通路内に導入された被測定空気中の異物」と限定し、「ガイド壁」に「前記バイパス通路内に導入された被測定空気の一部は前記ガイド壁によりガイドされて前記異物通過口に導かれ前記センシング部をバイパスする」との限定を付加するものであって、平成１８年改正前特許法１７条の２第４項２号の特許請求の範囲の減縮を目的とするものに該当する。
  そこで、本件補正後の上記請求項１に記載された発明（以下、「本願補正発明」という。）が特許出願の際独立して特許を受けることができるものであるか（平成１８年改正前特許法１７条の２第５項において準用する同法１２６条第５項の規定に適合するか）について以下に検討する。
　
（１）引用文献
　原査定の拒絶の理由に引用された特開昭６３−６３９３７号公報（以下、「引用文献」という。）には、以下の事項１〜７が図面とともに記載されている。
　
・記載事項１
「２．特許請求の範囲
　１．雰囲気中の被測定ガスの流動方向に向って開口するオリフィスを設け、このオリフィスに対して前記被測定ガスの上流側にガス取込み口を設け、またその下流側にガス排出口を設けるとともに、前記被測定ガスが前記ガス取込み口から排出口に至る間にその被測定ガスに接するようにガス検出具を設けることを特徴とする工業用ガス測定装置。」（第１頁左下欄第３行乃至１１行）
・記載事項２
「（産業上の利用分野）
　本発明は、工業用ガス測定装置に関し、特に各種燃焼炉の煙道内または炉内等に挿入して燃焼排ガス中の酸素濃度の測定等に用いて好適な工業用ガス測定装置に関するものである。」（第１頁左下欄第１３行乃至１７行）
・記載事項３
「（発明が解決しようとする問題点）
　しかしながら、このものにおいては、傾斜板１０等によって排ガスが捕らえられて流入路８に案内される一方、排ガス中に含まれるダストも同様に積極的に捕らえられて流入路８に案内されることになる。したがって、このダストは、プローブ３（円筒管４）内に溜まるとともに、ガス検出具６に付着して、測定能力を劣化させるという問題点を生じさせる。本発明は、このような問題点を解消する目的でなされたものである。」（第２頁左上欄第１行乃至１１行）
・記載事項４
「（作用）
　ガスの流動方向に向って開口するオリフィスが設けられることから、このオリフィスに対して被測定ガスの上流側に位置するガス取込み口には正圧域が、またその下流側に位置するガス排出口には負圧域が生じる。したがって、正圧域および負圧域にもとづく被測定ガスに対する装置への取込み力および装置からの排出力が形成される。被測定ガス中に含まれるダストは、ガスに較べて比較的に質量が大で慣性力が大であるために、ガス取込み口から取り込まれずに、ガスの流動方向に向って開口するオリフィスを介して直接に排出することが可能になる。」（第２頁右上欄第１行乃至１３行）
・記載事項５
「（実施例）
　次に、本発明による工業用ガス測定装置の具体的一実施例につき、第１図乃至第３図を参照しつつ説明する。図面において、被測定ガスである例えば、燃焼ガスを採用するプローブ２０は、燃焼炉の煙道の炉壁２１に形成される開口２２に挿通位置されて設けられているとともに、取付けフランジ２３を介して炉壁２１に取り付けられている。このプローブ２０は、図示されるガス流動方向Ａに対して、同様に図示されるその軸線Ｘが垂直となるように配される円筒管２４等により構成されている。この円筒管２４の左端側の先端開口部２５は、ガス流路内に位置されているとともに、右端側の基部２６にはガス検出具２７が設けられている。前記円筒管２４の内部空間には、この空間をガス流動方向Ａに２分するようにして、前記軸線Ｘに沿って仕切板２８が設けられている。これにより、先端開口部２５がガス取込み口２９とガス排出口３０とに分けられているとともに、この先端開口部２５のガス取込み口２９から採取される被測定ガスを前記ガス検出具２７に導く流入路３１と、この被測定ガスをガス検出具２７に接した後に前記先端開口部２５のガス排出口３０を介して再び煙道内に排出する排出路３２とが形成されている。また、この仕切板２８に円筒管２４の内部空間から突出される状態で、ガス流動方向Ａに折れ曲がるようにして連設される傾斜板３３が設けられている。さらに、この傾斜板３３の先端との間に、その先端に沿ってスリット状の長孔３４が形成されるように、先端開口部２５に対向して円盤状の対向板３５が設けられている。・・・・・これら傾斜板３３、対向板３５および舌片部３６，３６によって、ガス流動方向Ａに開口するオリフィスである長孔３４が形成されている。なお、３９は、ダストが流入路３１内に入るのを阻止する邪魔板である。」（第２頁右上欄第１４行乃至右下欄第１５行）
・記載事項６
「また、被測定ガス中に含まれるダストは、ガスに比べて比較的に質量が大で慣性力が大となるために、傾斜板３３に案内されて長孔３４から直接排出される。比較的に質量が小なるダストも邪魔板３９に阻止されて、長孔３４から排出される。したがって、プローブ２０の円筒管２４でのダストの溜まりにくくなるとともに、ガス検出具２７、詳しくはフィルタ４２への付着が少なくなり、測定能力の劣化が阻止される。なお、取り込まれるダストは、比較的重量が軽いダストのみになるため、速やかに円筒管２４外に排出される。」（第３頁左上欄第２０行乃至右上欄１０行）
・記載事項７
「次に、変形例を第４図乃至第６図を参照しつつ説明するが、前記実施例と同一符号は同一内容を示し、重複する説明は省略する。
　図面において、円筒管２４の先端開口部２５には、この先端開口部２５に螺合によって嵌合される円盤状の蓋部５０と、この蓋部５０に溶接等によって固着される柱状体の半割り形状のオリフィス部５１とから構成されるオリフィス蓋体５２が設けられている。この蓋部５０には、前記流入路３１および排出路３２夫々に対応させてガス取込み口２９’およびガス排出口３０’が設けられている。また、オリフィス部５１には、これらガス取込み口２９’およびガス排出口３０’夫々に対応させて、連通する上部空間４８’および下部空間４９’が形成されているとともに、両空間４８’、４９’の間には流動方向Ａに向って開口するオリフィスである孔５３が形成されている。すなわち、オリフィス部５１は、ガス流動方向Ａにおいて、孔５３に向って先窄まりになる周壁面により上部空間４８’が形成されているとともに、孔５３から先広がりになる周壁面により下部空間４９’が形成されている。したがって、ガス取込み口２９’、ガス排出口３０’および孔５３の開口面積の異なるオリフィス蓋体５２を複数個準備しておき、被測定ガスの煙道での流速により適宜選択することによって、ガス取込み量を容易に調整できるようになる。」（第３頁右上欄第１９行乃至右下欄４行）
・図面の記載事項
　第１図乃至第３図には、本発明による工業ガス測定装置の具体的一実施例を説明する図面が、第４図乃至第６図には、本発明による工業ガス測定装置の変形例を説明する図面が記載され、特に第４図（本発明による工業用ガス測定装置の変形例の断面図）には、被測定ガスの流れが「矢印」により図示されているものと認められる。
（ａ）上記「図面の記載事項」、「記載事項７」より、特に第４図の被測定ガスの流れを示す「矢印」によれば、ガス流路内をガス流動方向Ａに沿って（紙面下向きに）プローブ２０の中に入った被測定ガスは、オリフィス部５１の上部空間４８’で、孔５３に向って先窄まりになる周壁面の湾曲断面形状に沿った形で向きを紙面右向きに変え、ガス取込み口２９’、流入路３１を経て、右端のガス検出具２７に達し、そこで紙面左向きにＵターンし、排出路３２、ガス排出口３０’を経て、オリフィス部５１の下部空間４９’で向きを紙面下向きに変えてプローブ２０から出て行くとともに、プローブ２０の中に入った上記被測定ガスの一部は、オリフィス部５１の上部空間４８’から下部空間４９’に抜ける孔５３を紙面下向きに通過していることが読み取れる。 
（ｂ） 上記「図面の記載事項」、「記載事項７」、「記載事項６」より、特に第４図によれば、孔５３に向って先窄まりになる周壁面の湾曲断面形状は、孔５３の左右に２つの湾曲線で描かれているが、このうち、左の湾曲周壁面は、被測定ガスの流れを示す上記「矢印」が下方に向かい湾曲しながら向きを右方に変える形に描かれていることからも明らかなように、被測定ガスの向きを紙面下向きから右向きに変え、被測定ガスをガス取込み口２９’に、さらには右端のガス検出具２７に向けて導く機能を有するものであると読み取れる。しかし、右の湾曲周壁面は、右向きに向きを変えた被測定ガスを引き続きガス取込み口２９’に、さらには右端のガス検出具２７に向けて導くものではあっても、その面は紙面左上を向いているから、紙面下向きの被測定ガスに対して右向きに作用する力はなく、左の湾曲周壁面のように被測定ガスの向きを紙面下向きから右向きに変える機能を有するものではないとみるべきである。この点、上記「記載事項６」に「被測定ガス中に含まれるダストは、ガスに比べて比較的に質量が大で慣性力が大となるために、傾斜板３３に案内されて長孔３４から直接排出される。比較的に質量が小なるダストも邪魔板３９に阻止されて、長孔３４から排出される。」とあり、「孔５３に向って先窄まりになる周壁面」は、実施例の「傾斜板３３」と同様に、「被測定ガス中に含まれるダスト」を「孔５３」に案内する機能をも有するものであって、とりわけ、「孔５３」に対して右の湾曲周壁面は、実施例の「長孔３４」に対して右にある「邪魔板３９」と同様の機能、すなわち「比較的に質量が小なるダスト」も「ガス取込み口２９’」に向かうことを阻止し「孔５３」から排出されるようにガイドする機能を有するとみるべきである。
　
 　以上（ａ）、（ｂ）を勘案し、記載事項１〜７及び特に第４図によれば、引用文献１には次の発明が開示されていると認めることができる。
　「被測定ガスを導入して流通させるプローブ２０の中の、オリフィス部５１の上部空間４８’、ガス取込み口２９’、流入路３１、排出路３２、ガス排出口３０’、オリフィス部５１の下部空間４９’の流路と、該流路内に配設され被測定ガスの測定を行うガス検出具２７と、を備えた測定装置において、オリフィス部５１は、ガス流動方向Ａにおいて、孔５３に向って先窄まりになる湾曲周壁面により上部空間４８’が形成され、このうち、左の湾曲周壁面は、少なくとも、被測定ガスの向きを下向きから右向きに変え、ガス取込み口２９’に、さらには右端のガス検出具２７に向けて導く機能を有するものであるとともに、右の湾曲周壁面は、少なくとも、比較的に質量が小なるダストもガス取込み口２９’に向かうことを阻止し孔５３から排出されるようにガイドするものであるとともに、上部空間４８’内に導入された被測定空気の一部は孔５３に導かれガス検出具２７をバイパスする工業用ガス測定装置。」（以下、「引用発明」という。）　
　
（２）対比
　本願補正発明と引用発明を対比すると、引用発明の「被測定ガス」は、本願補正発明の「被測定空気」に相当し、同様に、「ガス検出具２７」は「センシング部」に、「ダスト」は「異物」に、それぞれ相当する。
　そして、引用発明の「オリフィス部５１」も含めた「プローブ２０」の中の流路は、煙道などの雰囲気中の流れから被測定ガスをバイパス導入する流路であるから、引用発明の「被測定ガスを導入して流通させるプローブ２０の中の、オリフィス部５１の上部空間４８’、ガス取込み口２９’、流入路３１、排出路３２、ガス排出口３０’、オリフィス部５１の下部空間４９’の流路」は、本願補正発明の「被測定空気を導入して流通させるバイパス流路」に相当する。
　さて、引用発明の「左の湾曲周壁面」は、少なくとも、被測定ガスの向きを下向きから右向きに変え、右端のガス検出具２７に向けて導く湾曲部であるといえるから、引用発明の「オリフィス部５１は、ガス流動方向Ａにおいて、孔５３に向って先窄まりになる湾曲周壁面により上部空間４８’が形成され、このうち、左の湾曲周壁面は、少なくとも、被測定ガスの向きを下向きから右向きに変え、ガス取込み口２９’に、さらには右端のガス検出具２７に向けて導く機能を有するものである」は、本願補正発明の「該バイパス流路内の該センシング部の上流側にバイパス流路内に導入された被測定空気を前記センシング部に向けて導く湾曲部が形成され」に相当するということができる。
　つぎに、引用発明の「オリフィス部５１の孔５３」は、「左の湾曲周壁面」からみて右側すなわち下流側に位置し、ダストを上部空間４８’から下部空間４９’に、つまり、ガス検出具２７をバイパスするように直接排出する連通孔であるから、本願補正発明の「該湾曲部の下流側の外側壁部に異物通過口が、該バイパス流路の該センシング部の上流側から下流側に前記センシング部をバイパスするように連通して設けられ」に相当するということができる。
　また、引用発明の「右の湾曲周壁面」は、少なくとも、ダストを孔５３にガイドする壁であるといえるから、引用発明の「右の湾曲周壁面は、少なくとも、比較的に質量が小なるダストもガス取込み口２９’に向かうことを阻止し孔５３から排出されるようにガイドするものである」は、本願補正発明の「該異物通過口にはバイパス通路内に導入された被測定空気中の異物を異物通過口にガイドするためのガイド壁が設けられ」に相当するということができる。
　そして、引用発明の「右の湾曲周壁面」の「ダストをガス取込み口２９’に向かうことを阻止し孔５３から排出されるようにガイドする」機能により、ダストとともに当然ダスト周辺の被測定ガスの一部も孔５３に導くようにガイドするから、引用発明の「上部空間４８’内に導入された被測定空気の一部は孔５３に導かれガス検出具２７をバイパスする」は、本願補正発明の「前記バイパス通路内に導入された被測定空気の一部は前記ガイド壁によりガイドされて前記異物通過口に導かれ前記センシング部をバイパスする」に相当するということができる。
　
　以上により、本願補正発明と引用発明は、
「被測定空気を導入して流通させるバイパス流路と、該バイパス流路内に配設され被測定空気の測定を行うセンシング部と、を備えた測定装置において、該バイパス流路内の該センシング部の上流側にバイパス流路内に導入された被測定空気を前記センシング部に向けて導く湾曲部が形成され、該湾曲部の下流側の外側壁部に異物通過口が、該バイパス流路の該センシング部の上流側から下流側に前記センシング部をバイパスするように連通して設けられ、該異物通過口にはバイパス通路内に導入された被測定空気中の異物を異物通過口にガイドするためのガイド壁が設けられ、前記バイパス通路内に導入された被測定空気の一部は前記ガイド壁によりガイドされて前記異物通過口に導かれ前記センシング部をバイパスすることを特徴とする測定装置。」である点で一致し、以下の点で相違する。
　
＜相違点＞
　本願補正発明では、「流量測定」であるのに対し、引用発明では、「酸素濃度の測定等」であり、流量測定をも含むか否か定かでない点。　
　
（３）判断
　上記相違点について検討する。
　工業用ガス測定装置の分野において、流量測定を行うことはごく一般的なことであり、引用発明のようなセンシング部を「流量測定を行うセンシング部」とすることは、例えば、原査定で引用した国際公開第０１／０７９７９０号パンフレット、特開２０００−２６６５７２号公報や特開２００１−１７４３０５号公報（特に「実施例１５」に関する【図１９】と段落【００５８】の記載を参照）にみられるように周知技術にすぎず、引用発明を流量測定装置として採用することは当業者が容易になし得たものである。
　そして、本願補正発明の作用効果も、引用発明及び周知技術から当業者が予測できる範囲のものである。　
　したがって、本願補正発明は、引用発明及び周知技術に基づいて、当業者が容易に発明をすることができたものであるから、特許法２９条２項の規定により特許出願の際独立して特許を受けることができないものである。
３．本件補正についてのむすび
　以上のとおり、本件補正は、平成１８年改正前特許法１７条の２第５項で準用する同法１２６条第５項の規定に違反するものであり、同法１５９条第１項において読み替えて準用する同法５３条第１項の規定によって却下されるべきものである。　
　
第３　本件審判請求についての判断
１．本願発明の認定
　本件補正は上記のとおり却下されたので、本願の請求項１乃至５に係る発明は、平成１７年１２月２３日付手続補正書によって補正された明細書及び図面の記載からみて、その特許請求の範囲の請求項１乃至５に記載された事項により特定されるとおりのものと認められるところ、その請求項１に係る発明（以下、「本願発明」という。）は、以下のとおりのものである。
「被測定空気を導入して流通させる流路と、該流路内に配設され被測定空気の流量測定を行うセンシング部と、を備えた流量測定装置において、該流路内の該センシング部の上流側に湾曲部が形成され、該湾曲部の下流側の外側壁部に異物通過口が、該流路の該センシング部の下流側に連通して設けられ、該異物通過口には異物を異物通過口にガイドするためのガイド壁が設けられたことを特徴とする流量測定装置。」　
　
２．本願発明の進歩性の判断
　
（１）引用文献
　原査定の拒絶の理由に引用された引用文献及びその記載事項は、上記第２の２．（１）に記載したとおりである。　
　
（２）対比・判断
　本願発明は、上記第２の２．で検討した本願補正発明から「流路」の限定事項である「バイパス」との構成を省き、「湾曲部」の限定事項である「バイパス流路内に導入された被測定空気を前記センシング部に向けて導く」との構成を省き、「下流側に連通して」の限定事項である「上流側から下流側に前記センシング部をバイパスするように連通して」との構成を省き、「異物」の限定事項である「バイパス通路内に導入された被測定空気中の」との構成を省き、「ガイド壁」に付加された「前記バイパス通路内に導入された被測定空気の一部は前記ガイド壁によりガイドされて前記異物通過口に導かれ前記センシング部をバイパスする」との構成を省いたものである。
　そうすると、本願発明の構成要件をすべて含み，さらに他の構成要件を付加したものに相当する本願補正発明が、上記第２の２．（３）に記載したとおり、引用発明及び周知技術に基づいて、当業者が容易に発明をすることができたものであるから，本願発明も同様の理由により、引用発明及び周知技術に基づいて、当業者が容易に発明をすることができたものである。　
　　
第４　むすび
　したがって、本願発明は、引用文献に記載された発明及び周知技術に基づいて、当業者が容易に発明をすることができたものであるから、特許法第２９条２項の規定により特許を受けることができない。
　したがって、他の請求項に係る発明について審理するまでもなく、本願は拒絶すべきものである。
　よって、結論のとおり審決する。